【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
映像コンテンツを取得して記録部に記録し、記録された映像コンテンツに対して、当該映像コンテンツを通常速度で再生するのに必要な時間よりも多くの時間を掛けて映像コンテンツを高画質化するアップコンバート処理を実行可能な映像記録再生装置であって、
映像コンテンツを指定する指定手段と、
前記指定手段で指定された映像コンテンツの、少なくとも画素数を示す情報を含む規格情報を取得する取得手段と、
アップコンバート処理の実行の要否を、少なくとも画素数に対応付けて定めた判定情報を保持する保持手段と、
前記取得手段で取得した映像コンテンツの規格情報と前記判定情報とに応じて、当該映像コンテンツに対するアップコンバート処理の実施の要否をユーザに問い合わせる通知を行うか否かを判定する判定手段と、
を有し、
前記判定手段は、取得した映像コンテンツの規格情報に含まれる画素数を示す情報が、アップコンバート処理を実行する対象の画素数であると前記判定情報に定められている場合に、当該映像コンテンツに対するアップコンバート処理の実施の要否をユーザに問い合わせる通知を行うことを決定することを特徴とする映像記録再生装置。
【請求項２】
前記指定手段は、ユーザによる映像コンテンツの記録予約操作によって指定された記録予約対象の映像コンテンツを自動的に指定することを特徴とする請求項１に記載の映像記録再生装置。
【請求項３】
映像コンテンツのアップコンバート処理に要する予測時間を算出する算出手段を有し、
前記算出手段は、前記指定手段で指定された映像コンテンツがアップコンバート処理を実施する対象の映像コンテンツであった場合、当該映像コンテンツの規格情報と当該映像コンテンツの時間情報とを用いて、アップコンバート処理の予測時間を算出することを特徴とする請求項１に記載の映像記録再生装置。
【請求項４】
前記算出手段は、複数の映像コンテンツのアップコンバート処理が重複する時間帯が発生するか否かを判定し、アップコンバート処理が重複する場合は、重複する時間帯が生じないように映像コンテンツのアップコンバート処理を実行する処理時刻を決定することを特徴とする請求項３に記載の映像記録再生装置。
【請求項５】
前記判定手段がアップコンバート処理を実施するか否かをユーザに問い合わせる通知を行うと判定した場合に、ユーザによるアップコンバート処理の要否を設定可能とする設定画面を生成する生成手段をさらに有することを特徴とする請求項１に記載の映像記録再生装置。
【請求項６】
前記生成手段は、前記指定手段で指定された映像コンテンツに実施可能なアップコンバート処理が複数存在する場合、複数のアップコンバート処理のいずれか一つを選択可能とする設定画面を生成することを特徴とする請求項５に記載の映像記録再生装置。
【請求項７】
映像コンテンツを取得して記録部に記録し、記録された映像コンテンツに対して、当該映像コンテンツを通常速度で再生するのに必要な時間よりも多くの時間を掛けて映像コンテンツを高画質化するアップコンバート処理を実行可能な映像記録再生装置の制御方法であって、
映像コンテンツを指定する指定ステップと、
前記指定ステップで指定された映像コンテンツの、少なくとも画素数を示す情報を含む規格情報を取得する取得ステップと、
前記取得ステップで取得した映像コンテンツの規格情報と、アップコンバート処理の実行の要否を、少なくとも画素数に対応付けて定めた判定情報とに応じて、当該映像コンテンツにアップコンバート処理を実施するか否かをユーザに問い合わせる通知を行うか否かを判定する判定ステップと、
を有し、
前記判定ステップでは、取得した映像コンテンツの規格情報に含まれる画素数を示す情報が、アップコンバート処理を実行する対象の画素数であると前記判定情報に定められている場合に、当該映像コンテンツに対するアップコンバート処理の実施の要否をユーザに問い合わせる通知を行うことを決定することを特徴とする映像記録再生装置の制御方法。
【請求項８】
前記指定ステップでは、ユーザによる映像コンテンツの記録予約操作によって指定された記録予約対象の映像コンテンツを自動的に指定することを特徴とする請求項７に記載の映像記録再生装置の制御方法。
【請求項９】
映像コンテンツのアップコンバート処理に要する予測時間を算出する算出ステップを有し、
前記算出ステップでは、前記指定ステップで指定された映像コンテンツがアップコンバート処理を実施する対象の映像コンテンツであった場合、当該映像コンテンツの規格情報と当該映像コンテンツの時間情報とを用いて、アップコンバート処理の予測時間を算出することを特徴とする請求項７に記載の映像記録再生装置の制御方法。
【請求項１０】
前記算出ステップでは、複数の映像コンテンツのアップコンバート処理が重複する時間帯が発生するか否かを判定し、アップコンバート処理が重複する場合は、重複する時間帯が生じないように映像コンテンツのアップコンバート処理を実行する処理時刻を決定することを特徴とする請求項９に記載の映像記録再生装置の制御方法。
【請求項１１】
前記判定ステップがアップコンバート処理を実施するか否かをユーザに問い合わせる通知を行うと判定した場合に、ユーザによるアップコンバート処理の要否を設定可能とする設定画面を生成する生成ステップをさらに有することを特徴とする請求項７に記載の映像記録再生装置の制御方法。
【請求項１２】
前記生成ステップでは、前記指定ステップで指定された映像コンテンツに実施可能なアップコンバート処理が複数存在する場合、複数のアップコンバート処理のいずれか一つを選択可能とする設定画面を生成することを特徴とする請求項１１に記載の映像記録再生装置の制御方法。
【手続補正２】
【補正対象書類名】明細書
【補正対象項目名】０００９
【補正方法】変更
【補正の内容】
【０００９】
上記目的を達成するために、本発明は、映像コンテンツを取得して記録部に記録し、記録された映像コンテンツに対して、当該映像コンテンツを通常速度で再生するのに必要な時間よりも多くの時間を掛けて映像コンテンツを高画質化するアップコンバート処理を実行可能な映像記録再生装置であって、映像コンテンツを指定する指定手段と、前記指定手段で指定された映像コンテンツの、少なくとも画素数を示す情報を含む規格情報を取得する取得手段と、アップコンバート処理の実行の要否を、少なくとも画素数に対応付けて定めた判定情報を保持する保持手段と、前記取得手段で取得した映像コンテンツの規格情報と前記判定情報とに応じて、当該映像コンテンツに対するアップコンバート処理の実施の要否をユーザに問い合わせる通知を行うか否かを判定する判定手段と、を有し、前記判定手段は、取得した映像コンテンツの規格情報に含まれる画素数を示す情報が、アップコンバート処理を実行する対象の画素数であると前記判定情報に定められている場合に、当該映像コンテンツに対するアップコンバート処理の実施の要否をユーザに問い合わせる通知を行うことを決定する。
【手続補正３】
【補正対象書類名】明細書
【補正対象項目名】００１０
【補正方法】変更
【補正の内容】
【００１０】
また、上記目的を達成するために、本発明は、映像コンテンツを取得して記録部に記録し、記録された映像コンテンツに対して、当該映像コンテンツを通常速度で再生するのに必要な時間よりも多くの時間を掛けて映像コンテンツを高画質化するアップコンバート処理を実行可能な映像記録再生装置の制御方法であって、映像コンテンツを指定する指定ステップと、前記指定ステップで指定された映像コンテンツの、少なくとも画素数を示す情報を含む規格情報を取得する取得ステップと、前記取得ステップで取得した映像コンテンツの規格情報と、アップコンバート処理の実行の要否を、少なくとも画素数に対応付けて定めた判定情報とに応じて、当該映像コンテンツにアップコンバート処理を実施するか否かをユーザに問い合わせる通知を行うか否かを判定する判定ステップと、を有し、前記判定ステップでは、取得した映像コンテンツの規格情報に含まれる画素数を示す情報が、アップコンバート処理を実行する対象の画素数であると前記判定情報に定められている場合に、当該映像コンテンツに対するアップコンバート処理の実施の要否をユーザに問い合わせる通知を行うことを決定する。
【手続補正４】
【補正対象書類名】明細書
【補正対象項目名】００５２
【補正方法】変更
【補正の内容】
【００５２】
アップコンバート予約設定のＧＵＩにて、ユーザがアップコンバートを行うよう要求をした場合（ＹＥＳボタンを押下した場合）、ステップＳ１０７へ移行する。